(57)【要約】【課題】中性点電位を一定に保つことのできる電力変換装置を提供する。【解決手段】交流と直流の間で電力を変換する電力変換装置であって、直流電源２０と並列に接続され、直流電源２０の入力直流電圧を分割して中性点電位を作るための直列接続されたコンデンサ２ａ，２ｂと、直流電源２０と並列に各々接続され、直流を交流に変換するためのチョッパセルＣを含む複数のレグ３と、各相のレグ３のチョッパセル出力電圧をバランスさせるために各相のレグ３内に流す循環電流を制御する制御部と、を備え、制御部は、各相の直流端子間に流す直流循環電流に、中性点電位を一定に制御するための中性点電流を重畳する中性点電位制御部を有し、中性点電位制御部は、コンデンサ２ａ，２ｂの少なくとも何れかに中性点電流を重畳した循環電流を流させる。【選択図】図１
2016046955.tif 000002
【特許請求の範囲】
【請求項１】
交流と直流の間で電力を変換する電力変換装置であって、
直流電源と並列に接続され、前記直流電源の入力直流電圧を分割して中性点電位を作るための直列接続された第１及び第２のコンデンサと、
前記直流電源と並列に各々接続され、直流を交流に変換するためのチョッパセルを含む複数のレグと、
各相のレグの前記チョッパセル出力電圧をバランスさせるために各相のレグ内に流す循環電流を制御する制御部と、
を備え、
前記制御部は、各相の直流端子間に流す直流循環電流に、中性点電位を一定に制御するための中性点電流を重畳する中性点電位制御部を有し、
前記中性点電位制御部は、前記第１及び第２のコンデンサの少なくとも何れかに前記中性点電流を重畳した循環電流を流させること、
を特徴とする電力変換装置。
【請求項２】
前記中性点電位制御部は、前記第１及び第２のコンデンサのうち、高電圧なコンデンサから放電させた電力を低電圧なコンデンサに充電させること、
を特徴とする請求項１記載の電力変換装置。
【請求項３】
前記中性点電位制御部は、前記中性点電流を各相のレグに分配して重畳すること、
を特徴とする請求項１又は２に記載の電力変換装置。
【請求項４】
前記中性点電位制御部は、前記中性点電流の指令値を、前記第１及び第２のコンデンサの電圧差を比例積分制御することにより算出すること、
を特徴とする請求項１〜３の何れかに記載の電力変換装置。
【請求項５】
前記中性点電位制御部は、前記第１及び第２のコンデンサの電圧差に含まれる高周波数成分を除去するローパスフィルタを有すること、
を特徴とする請求項１〜４の何れかに記載の電力変換装置。
【請求項６】
前記中性点電位制御部は、前記第１及び第２のコンデンサの電圧差に含まれる高周波数成分を除去する移動平均フィルタを有すること、
を特徴とする請求項１〜４の何れかに記載の電力変換装置。
【請求項７】
前記移動平均フィルタの移動平均周期を、出力交流電圧周期の前記レグ数倍以上とすること、
を特徴とする請求項６に記載の電力変換装置。
【請求項８】
前記レグは、
多直列接続された第１乃至第４のスイッチと、
前記チョッパセルが１つ又は２つ以上直列接続された一対のチョッパセル群回路と、
を有し、
前記第１乃至第４のスイッチは、この順で前記直流電源と接続される直流正端子から直流負端子の間に設けられ、前記第２のスイッチ及び前記第３のスイッチの間で中性点と接続され、
前記一対のチョッパセル群回路は、前記第２及び第３のスイッチと並列に接続されていること、
を特徴とする請求項１〜７の何れかに記載の電力変換装置。
【発明の詳細な説明】
【技術分野】
【０００１】
本発明の実施形態は、直流と交流との間で相互に電力を変換する電力変換装置に関する。
【背景技術】
【０００２】
近年、風力発電や太陽光発電、太陽熱発電などの再生可能エネルギーの普及が促進されているが、より大電力を再生可能エネルギーで賄うために、洋上風力発電や、砂漠地帯での太陽光、太陽熱発電が検討され始めている。洋上風力発電においては、発電された電力を消費地である都市まで海底ケーブルで大電力送電したり、アフリカや中国奥部の砂漠地帯から、ヨーロッパや沿岸地帯の大都市まで大電力を長距離にわたって高効率に送電したりすることが必要になる。このような要求には、従来の三相交流による電力送電よりも、直流送電のほうが高効率で、コストを抑えながら設置することが可能になるため、直流送電網の構築が検討され始めている。
【０００３】
直流送電においては、発電された交流電力を直流送電用の直流に変換するコンバータや、送電されてきた直流を都市内の交流に変換するインバータなどの電力変換装置が必要になる。交流系統にコンバータ、インバータのスイッチングに伴う高調波が流出しないように、正弦波に近い電圧波形を出力することができ、出力フィルタを削減できるＭＭＣ(モジュラーマルチレベルコンバータ)が実用化されている。
【０００４】
従来の直流送電用途に使用されるＭＭＣの一例を図１０に示す。図１０（ａ）に示すように、ＭＭＣ１０１は、直流電源１２０とそれぞれ並列に接続された交流電圧を生成するＵ相、Ｖ相及びＷ相レグ１０３を備える。各レグ１０３は、生成した交流電圧を所望の交流電圧に変換する三相トランス１２１と接続され、この三相トランス１２１が電力系統１２２と接続されている。
【０００５】
各相のレグ１０３の構成は何れも同様であるため、Ｕ相レグ１０３について説明すると、Ｕ相レグ１０３は、入力直流電圧から交流電圧を生成するための手段であり、直列接続された１２個のチョッパセルＣを有している。すなわち、Ｕ相レグ１０３は、チョッパセルＣが６つ直列接続されてなる正側の上アーム１０４ａと、チョッパセルＣが６つ直列接続されてなる負側の下アーム１０４ｂとからなる。
【０００６】
上アーム１０４ａ及び下アーム１０４ｂの間には、三相トランス１２１と接続される交流出力端子１３９が設けられ、上アーム１０４ａ及び端子１３９の間にリアクトルｌｂ_ｕｐが配置され、下アーム１０４ｂ及び端子１３９の間にリアクトルｌｂ_ｕｎが配置されている。チョッパセルＣは、図１０（ｂ）に示すように、自己消弧能力を備える２つのスイッチｓｗ_ｃｈ１，ｓｗ_ｃｈ２が直列接続されてなるレグ１０５と、レグ１０５に並列接続されたコンデンサｃ_ｃｈとから構成される。チョッパセルＣは、コンデンサｃ_ｃｈを直流電圧源として、スイッチｓｗ_ｃｈ１がオン時にコンデンサｃ_ｃｈの電圧ｖ_ｃｈを出力し、スイッチｓｗ_ｃｈ２がオン時にチョッパセルＣの両端子が同電位となる。チョッパセルＣが多直列接続されたＵ相レグ１０３は、各チョッパセルＣへのスイッチングのタイミングをずらすことにより、多段の階段状の交流電圧波形を生成する。
【０００７】
このＭＭＣ１０１の動作についてＵ相レグ１０３を例に説明すると、直流電源１２０の入力直流電圧ｖ_ｄｃから正側チョッパセルｃｈ_ｕｐ１〜６の合計電圧ｖ_ｕｐを減算し、基準電位から負側チョッパセルｃｈ_ｕｎ１〜６の合計電圧ｖ_ｕｎを加算することによって交流電圧が得られ、さらに三相トランス１２１で所望の交流電圧に変換される。
【０００８】
また、リアクトルｌｂ_ｕｐ及びｌｂ_ｕｎによって、入力直流電圧ｖ_ｄｃとチョッパセル出力電圧ｖ_ｕｐ＋ｖ_ｕｎの短絡による電流の増大が抑制される。Ｖ相レグ１０３及びＷ相レグ１０３についても同様である。
【０００９】
以上説明した動作により、三相交流電圧を生成し、三相トランス１２１によって所望の交流電圧に変換し、電力系統１２２に三相交流電圧を供給する。
【先行技術文献】
【特許文献】
【００１０】
【特許文献１】特表２０１０−５１２１３４号公報
【特許文献２】特開２０１３−１９８３８９号公報
【発明の概要】
【発明が解決しようとする課題】
【００１１】
ＭＭＣは、チョッパセルのコンデンサに出力交流周波数と同等の電力脈動が原理的に生じる。このコンデンサ電圧の変動を一定の値に抑制するためには、コンデンサの容量を大きくする必要があり、装置自体が大きくなってしまっていた。例えば、直流電圧が数十ｋＶ〜数百ｋＶに及ぶ直流送電の場合、チョッパセルの数が多くなり、それに比例してコンデンサ体積が大きくなり、電力変換装置の体積が大きくなってしまう。
【００１２】
そこで、ＩＧＢＴ等の自励式スイッチング素子とこれに逆接続したダイオードからなるスイッチ（バルブ）と、チョッパセルとを組み合わせた中性点クランプ形モジュラー・マルチレベル・コンバータ（以下、ＮＰＣ−ＭＭＣという。）が検討され始めている。このＮＰＣ−ＭＭＣは、直流電源の入力直流電圧を例えば２つのコンデンサで半分に分割し、コンデンサ間に中性点電位を形成する。すなわち、入力直流電圧に対し、直列接続した２つのコンデンサを並列に接続する。ＮＰＣ−ＭＭＣは、各チョッパセルの動作タイミングをずらすことで階段状のマルチレベル電圧波形を出力でき、出力交流電圧をほぼ正弦波にできるというＭＭＣの利点を受け継ぎつつ、チョッパセル数が減少できるので、電力変換装置の設置スペースを低減できる可能性がある。
【００１３】
ところが、中性点電位はコンデンサやスイッチング素子の漏れ電流、放電電流の不平衡により変動してしまう。そのため、例えば、正側のコンデンサと負側のコンデンサの放電電圧のバランスが崩れて、スイッチング素子に耐電圧を超えた電圧が印加され、スイッチング素子が故障し、その結果電力変換装置自体の故障に繋がる虞があった。
【００１４】
本発明の実施形態に係る電力変換装置は、上記のような課題を解決するためになされたものであり、中性点電位を一定に保つことのできる電力変換装置を提供することを目的とする。
【課題を解決するための手段】
【００１５】
上記の目的を達成するために、本実施形態の電力変換装置は、交流と直流の間で電力を変換する電力変換装置であって、直流電源と並列に接続され、前記直流電源の入力直流電圧を分割して中性点電位を作るための直列接続された第１及び第２のコンデンサと、前記直流電源と並列に各々接続され、直流を交流に変換するためのチョッパセルを含む複数のレグと、各相のレグの前記チョッパセル出力電圧をバランスさせるために各相のレグ内に流す循環電流を制御する制御部と、を備え、前記制御部は、各相の直流端子間に流す直流循環電流に、中性点電位を一定に制御するための中性点電流を重畳する中性点電位制御部を有し、前記中性点電位制御部は、前記第１及び第２のコンデンサの少なくとも何れかに前記中性点電流を重畳した循環電流を流させること、を特徴とする。
【図面の簡単な説明】
【００１６】
【図１】（ａ）は第１の実施形態に係る電力変換装置の回路図であり、（ｂ）はチョッパセルの回路図である。
【図２】第１の実施形態に係る電力変換装置の制御部の内部構成ブロック図である。
【図３】中性点電位制御部の制御構成を示す模式図である。
【図４】１周期内の各相に重畳させる中性点電流を示す表である。
【図５】アーム間コンデンサ電圧制御部の制御構成を示す模式図である。
【図６】チョッパセル群出力電圧指令値の生成方法を示す模式図である。
【図７】チョッパセル群出力電圧指令値生成部の制御構成を示す模式図である。
【図８】個別コンデンサ電圧制御部の制御構成を示す模式図である。
【図９】チョッパセルの電圧出力方法を説明するための図である。
【図１０】（ａ）は従来のＭＭＣを説明するための図であり、（ｂ）はチョッパセルの回路図である。
【発明を実施するための形態】
【００１７】
［１．第１の実施形態］
［１−１．概略構成］
以下では、図１〜図９を参照しつつ、本実施形態の電力変換装置について説明する。図１は、本実施形態の電力変換装置の回路図であり、図２は、本実施形態の電力変換装置の制御部の内部構成ブロック図である。
【００１８】
図１（ａ）に示すように、本実施形態の電力変換装置１は、直流電源２０と接続され、入力直流電圧ｖ_ｄｃを三相の交流電圧ｖ_ａｃに変換し、三相トランス２１を介して電力系統２２に交流電力を出力するものである。
【００１９】
本電力変換装置１は、直流電源２０と並列に接続され、その入力直流電圧ｖ_ｄｃを分割して中性点電位を作るための互いに直列接続されたコンデンサ２ａ，２ｂと、直流電源２０と並列に各々接続され、直流電源２０の直流を交流に変換するための単位変換器となるチョッパセルＣを含むＵ相、Ｖ相及びＷ相のレグ３と、各レグ３のチョッパセルＣの出力電圧をバランスさせるために各相のレグ３内に流す循環電流を制御する制御部５と、を備える。
【００２０】
なお、Ｕ相、Ｖ相、Ｗ相の電力変換装置の構成は同じであるので、適宜代表してＵ相について説明する。また、以下に示す電流、電圧は、不図示の電流検出器及び電圧検出器によって検出され、その検出値が制御部５に入力可能に構成されていることを前提とする。
【００２１】
本電力変換装置１は、例えば、Ｕ相交流電圧が正、Ｖ相交流電圧及びＷ相交流電圧が負である場合、Ｕ相レグ３においては、スイッチ３１，３３をオンにして、直流正端子−スイッチ３１−チョッパセル群回路３５−チョッパセル群回路３６−スイッチ３３−直流中性点Ｎの経路を形成し、コンデンサ２ａからチョッパセル群回路３５，３６のチョッパセルＣの電圧を一定にするＵ相循環電流が供給される。Ｖ相レグ３及びＷ相レグ３においては、スイッチ３２，３４をオンにして、直流中性点Ｎ−スイッチ３２−チョッパセル群回路３５−チョッパセル群回路３６−スイッチ３４−直流負端子の経路を形成し、コンデンサ２ｂからチョッパセル群回路３５，３６のチョッパセルＣの電圧を一定にするＶ相循環電流及びＷ相循環電流が供給される。
【００２２】
本実施形態では、制御部５により、コンデンサ２ａ，２ｂを制御して、各相の循環電流に中性点電位を一定にする中性点電流を重畳させることにより、直流中性点Ｎの電位を一定に制御する。例えば、コンデンサ２ａの電圧がコンデンサ２ｂの電圧よりも大きい場合、バランスを取るために、高電圧なコンデンサ２ａの余分な電力を放電させるために中性点電流ｉを重畳させてＵ相レグ３内に流す。一方、Ｖ相レグ３及びＷ相レグ３内に−（１／２）ｉを重畳させて、余分な分の中性点電流ｉが低電圧なコンデンサ２ｂに充電されるようにする。このようにして、コンデンサ２ａ，２ｂのバランスを図り、中性点電位を一定に制御する。
【００２３】
［１−２．詳細構成］
［コンデンサ］
コンデンサ２ａ，２ｂは、直流コンデンサであり、互いに直列接続されて、直流電源２０の正端子及び負端子間に並列に配置されている。両コンデンサ２ａ，２ｂ間には直流中性点Ｎが形成されている。本実施形態における基準電位は、入力直流電圧ｖ_ｄｃをコンデンサ２ａ，２ｂで分割して作られる直流中性点Ｎの電位とし、中性点電位は、入力直流電圧ｖ_ｄｃの概１／２である。直流中性点Ｎを基準としてコンデンサ２ａを正側コンデンサ２ａ、コンデンサ２ｂを負側コンデンサ２ｂと呼ぶ場合がある。なお、コンデンサ２ａ，２ｂは、後述のチョッパセルＣのコンデンサより容量が小さい。
【００２４】
［レグ］
各相のレグ３は、直流電源２０とそれぞれ並列に接続されている。何れのレグ３も同様の構成であるので、Ｕ相レグ３の構成を例に説明する。Ｕ相レグ３は、スイッチ３１〜３４と、直流を交流に変換するためのチョッパセルＣを備えたチョッパセル群回路３５，３６と、リアクトル３７，３８とを有している。
【００２５】
（スイッチ）
スイッチ３１〜３４は、オン時には電流を一方向に流すＩＧＢＴやＭＯＳＦＥＴ等の自己消弧能力を有するスイッチング素子と、このスイッチング素子に逆並列に接続された帰還ダイオードとで構成される逆導通スイッチである。スイッチ３１〜３４は、直流電源２０の入力直流電圧ｖ_ｄｃにより耐電圧が決定される。入力直流電圧ｖ_ｄｃに対して、ｖ_ｄｃ／２の電圧にスイッチング時のサージ電圧の重畳を考慮し、使用する素子を決定する。直流電圧が数十ｋＶ以上に及ぶと、１素子で耐電圧を持たせることは困難になり、複数の素子を直列にする必要がある。本実施形態では１つのスイッチに対し１素子を含むが、１つのスイッチに複数の素子を直列にする場合もスイッチ３１〜３４と称する。
【００２６】
スイッチ３１〜３４は、直流正端子及び直流負端子間にこの順に直列接続されている。直流正端子にはスイッチ３１のコレクタ（Ｃ）が接続され、直流負端子にはスイッチ３４のエミッタ（Ｅ）が接続されている。スイッチ３２のエミッタ（Ｅ）及びスイッチ３３のコレクタ（Ｃ）がコンデンサ２ａ，２ｂにより分割される直流中性点Ｎに接続されている。スイッチ３１〜３４のオンオフによって、直流循環電流の経路を形成する。
【００２７】
（チョッパセル群回路）
チョッパセル群回路３５，３６は、Ｎ個（Ｎ≧１）のチョッパセルＣを直列接続して構成されており、チョッパセルＣを単位変換器として直流電圧を階段状の交流電圧に変換する。チョッパセルＣは、図１（ｂ）に示すように、スイッチｓｗ_ｃｈ１，ｓｗ_ｃｈ２を直列接続したレグと、直流コンデンサｃ_ｃｈとを並列接続してなる。スイッチｓｗ_ｃｈ１，ｓｗ_ｃｈ２の構成は、前述のスイッチ３１〜３４の構成と同様である。チョッパセルＣは、スイッチｓｗ_ｃｈ１がオン時に直流コンデンサｃ_ｃｈの電圧ｖ_ｃｈを出力し、スイッチｓｗ_ｃｈ２がオン時にゼロ電圧となる。チョッパセル群回路３５，３６のチョッパセルＣ数は、入力直流電圧ｖ_ｄｃと、チョッパセルコンデンサ電圧ｖ_ｃｈによって決定され、概ね（ｖ_ｄｃ／２）／ｖ_ｃｈである。本実施形態では、チョッパセルＣ数を３としている。
【００２８】
チョッパセル群回路３５は、その正端子がスイッチ３２のコレクタ（Ｃ）と接続され、チョッパセル群回路３６は、その負端子がスイッチ３３のエミッタ（Ｅ）と接続されている。また、チョッパセル群回路３５の負端子がリアクトル３７を介して出力交流電圧端子と接続され、チョッパセル群回路３６の正端子がリアクトル３８を介して出力交流電圧端子と接続されている。
【００２９】
なお、チョッパセル群回路３５は、直流側から見て正側に接続された正側のアームであり、上アームと呼ぶ場合がある。また、チョッパセル群回路３６は、直流側から見て負側に接続された負側のアームであり、下アームと呼ぶ場合がある。
【００３０】
（リアクトル）
本電力変換装置１を動作させると、出力交流電圧ｖ_ａｃ_ｕが正のとき、スイッチ３１，３３をオンにし、チョッパセル群回路３５の出力電圧ｖ_ｕｐとチョッパセル群回路３６の出力電圧ｖ_ｕｎの合計電圧ｖ_ｕｐ＋ｖ_ｕｎと、コンデンサ２ａの電圧ｖ_ｄｃ_ｐとがスイッチ３１，３３を通して短絡される。また、出力交流電圧ｖ_ａｃ_ｕが負のとき、スイッチ３２，３４をオンにし、合計電圧ｖ_ｕｐ＋ｖ_ｕｎと、コンデンサ２ｂの電圧ｖ_ｄｃ_ｎとがスイッチ３２，３４を通して短絡される。
【００３１】
このとき、電流増大を抑制するために、チョッパセル群回路３５と出力交流電圧端子３９との間にリアクトル３７が挿入され、チョッパセル群回路３６と出力交流電圧端子３９との間にリアクトル３８が挿入されている。
【００３２】
［制御部］
制御部５は、各チョッパセルＣの出力電圧を一定にするために各相のレグ３内に流す循環電流を制御する。そのため、各相レグ３のスイッチ３１〜３４及びチョッパセルＣのスイッチｓｗ_ｃｈ１，ｓｗ_ｃｈ２に対してオン又はオフにする指令を出力する。制御部５は、図２に示すように、ＣＰＵ等を搭載したコンピュータのソフトフェア処理等によって実現される各相出力電圧制御部５１、各相コンデンサ電圧制御部５２、中性点電位制御部５３、アーム間コンデンサ電圧制御部５４、循環電流ＡＣＲ部５５、チョッパセル群出力電圧指令値生成部５６、及び個別コンデンサ電圧制御部５７を備えている。
【００３３】
（制御動作）
以下では、各部５１〜５７の制御動作と制御構成を合わせて説明する。
【００３４】
各相出力電圧制御部５１は、各相の出力交流電流ｉ_ｕ，ｉ_ｖ，ｉ_ｗから各相の電圧指令値ｖ_ｕ＊，ｖ_ｖ＊，ｖ_ｗ＊を算出する。すなわち、各相出力電圧制御部５１は、３相／ＤＱ変換部５１１、ＡＣＲ部５１２、及びＤＱ／３相変換部５１３を有しており、Ｕ相を例に説明すると、各相出力電圧制御部５１には、検出されたＵ相上アーム電流ｉ_ｕｐ及びＵ相下アーム電流ｉ_ｕｎが入力され、ｉ_ｕｐ−ｉ_ｕｎ＝Ｕ相電流ｉ_ｕを算出する。同様にｉ_ｖ，ｉ_ｗを算出する。次いで３相／ＤＱ変換部５１１は、算出されたｉ_ｕ，ｉ_ｖ，ｉ_ｗを３相／ＤＱ変換し、Ｄ軸電流ｉ_ｄ及びＱ軸電流ｉ_ｑを算出し、ＡＣＲ部５１２に出力する。
【００３５】
ＡＣＲ部５１２は、Ｄ軸電流ｉ_ｄ及びＱ軸電流ｉ_ｑと、Ｄ軸電流指令値ｉ_ｄ＊及びＱ軸電流指令値ｉ_ｑ＊の入力を受け、Ｄ軸電流ｉ_ｄ及びＱ軸電流ｉ_ｑが、Ｄ軸電流指令値ｉ_ｄ＊及びＱ軸電流指令値ｉ_ｑ＊に追従するようにＰＩ制御を行い、Ｄ軸電圧指令値ｖ_ｄ＊及びＱ軸電圧指令値ｖ_ｑ＊を算出し、ＤＱ／３相変換部５１３に出力する。そして、ＤＱ／３相変換部５１３は、入力されたＤ軸電圧指令値ｖ_ｄ＊及びＱ軸電圧指令値ｖ_ｑ＊をＤＱ／３相変換し、各相の電圧指令値ｖ_ｕ＊，ｖ_ｖ＊，ｖ_ｗ＊を算出する。
【００３６】
各相コンデンサ電圧制御部５２は、各相のチョッパセル群回路３５，３６電圧の平均値を一定にするために制御を行う。そのために、Ｕ相を例に説明すると、出力交流電圧ｖ_ａｃ_ｕが直流中性点電圧より大きいときは、スイッチ３１，３３をオンにし、直流正端子−スイッチ３１−チョッパセル群回路３５−チョッパセル群回路３６−スイッチ３３−直流中性点Ｎの経路で直流循環電流を流す。一方、出力交流電圧ｖ_ａｃ_ｕが直流中性点電圧より小さいときは、スイッチ３２，３４をオンにし、直流中性点Ｎ−スイッチ３２−チョッパセル群回路３５−チョッパセル群回路３６−スイッチ３４−直流負端子の経路で直流循環電流を流す。
【００３７】
このような制御動作を実現するために、各相コンデンサ電圧制御部５２は、Ｕ相レグ３のチョッパセル群回路３５，３６の電圧ｖ_ｕｐ，ｖ_ｕｎの平均値ｖ_ｃｈ_ｕ（＝（ｖ_ｕｐ＋ｖ_ｕｎ）／２）を計算し、所望の指令値に追従するようにＰＩ制御を行い、循環電流指令値ｉ_ｃ_ｕ０＊を計算する。Ｖ相、Ｗ相についても同様な制御を行い、各相コンデンサ電圧制御部５２は、得られた各相の循環電流指令値ｉ_ｃ_ｕ０＊，ｉ_ｃ_ｖ０＊，ｉ_ｃ_ｗ０＊を中性点電位制御部５３に出力する。
【００３８】
中性点電位制御部５３は、直流中性点Ｎの中性点電位を一定に制御する。一般に、コンデンサやスイッチング素子には個体毎にバラツキがあるため、実際には正側コンデンサ２ａと負側コンデンサ２ｂの充放電電流は異なり、中性点電圧は入力直流電圧ｖ_ｄｃのちょうど１／２には保たれない。そこで、本実施形態では、中性点電位に意図的に電流ｉ_ｎｐを流し込むことにより、中性点電圧を一定に保つ。これを実現するために、本実施形態では、中性点電流指令値ｉ_ｎｐ＊を、各相の直流循環電流に重畳させる。
【００３９】
より詳細には、中性点電位制御部５３は、図３に示すように、中性点電流指令値算出部５３１と、中性点電流重畳部５３２とを備える。中性点電流指令値算出部５３１は、コンデンサ２ａの電圧ｖ_ｄｃ_ｐとコンデンサ２ｂの電圧ｖ_ｄｃ_ｎの入力を受け、これらの差電圧を算出し、１／２をかける。さらに、移動平均フィルタを通過させ、差電圧がゼロに追従するようにＰＩ制御を行い、中性点電流指令値ｉ_ｎｐ＊を算出する。
【００４０】
差電圧に１／２をかけるのは、例えばコンデンサ２ａの電圧ｖ_ｄｃ_ｐが上昇した場合、その分コンデンサ２ｂの電圧ｖ_ｄｃ_ｎが低下するので、上昇した分を正確に得るためである。
【００４１】
移動平均フィルタを有するのは、制御への影響を排除するためである。すなわち、三相ＮＰＣ−ＭＭＣは正側コンデンサ２ａ及び負側コンデンサ２ｂが供給する電流が交流電圧周波数の３倍の周波数で変動することに起因して、中性点電位が交流電圧周波数の３倍で変動する。このような高調波成分がコンデンサ２ａ，２ｂの電圧差に含まれており、ハンチング等の制御への影響をなくすために移動平均を取っている。
【００４２】
移動平均の周期は出力交流電圧周期のレグ数倍以上（ここでは３倍）とすることで、制御への影響をさらに排除することができる。また、移動平均フィルタの代わりにローパスフィルタにより高調波成分を除去するようにしても良い。さらに、これらのフィルタを設けなくても、ＰＩ制御の際のゲインを高くしてＰＩ制御応答速度を速くすることで、正側コンデンサ２ａ，負側コンデンサ２ｂの３倍周波数変動を抑制することができる。ゲインを高くするとは、例えば、少なくとも何れかのフィルタを挿入する場合のＰＩ制御で用いるゲインよりも大きくすることをいう。
【００４３】
中性点電流重畳部５３２は、中性点電流指令値算出部５３１で得た中性点電流指令値ｉ_ｎｐ＊を、各相の循環電流指令値に重畳する。その方法をＵ相交流電圧の位相θ＝π／３〜２π／３のときを例に説明する。このとき、Ｕ相交流電圧は正、Ｖ、Ｗ相交流電圧は負である。よって、Ｕ相循環電流は正側コンデンサ２ａから供給され、Ｖ、Ｗ相循環電流は負側コンデンサ２ｂから供給される。
【００４４】
中性点電流指令値ｉ_ｎｐ＊をコンデンサ２ａ，２ｂが供給する循環電流に反映させるには、Ｕ相循環電流指令値ｉ_ｃ_ｕ０＊にｉ_ｎｐ＊を加算し、Ｖ、Ｗ相循環電流指令値ｉ_ｃ_ｖ０＊、ｉ_ｃ_ｗ０＊にはｉ_ｎｐ＊／２を分配して減算する。これにより、中性点電位を一定にするための各相の循環電流指令値ｉ_ｃ_ｕ１＊，ｉ_ｃ_ｖ１＊，ｉ_ｃ_ｗ１＊を算出する。
【００４５】
Ｕ相交流電圧の位相θ＝π／３〜２π／３以外の中性点電流指令値ｉ_ｎｐ＊の重畳方法は同様であり、その重畳量は図４に示した通りである。すなわち、三相のうち、二相が正、一相が負の場合、正の二相においてはｉ_ｎｐ＊／２ずつ加算し、負の一相においては−ｉ_ｎｐ＊を加算する。一相が正、二相が負の場合、正の一相においてｉ_ｎｐ＊を加算し、負の二相において−ｉ_ｎｐ＊／２ずつ加算する。なお、三相の中性点電流指令値を合計するとゼロとなる。
【００４６】
なお、二相構成の電力変換装置の場合も、同様の制御方法で中性点電圧を一定にできる。
【００４７】
中性点電位制御部５３は、得られた中性点電位を一定にするための各相の循環電流指令値ｉ_ｃ_ｕ１＊，ｉ_ｃ_ｖ１＊，ｉ_ｃ_ｗ１＊をアーム間コンデンサ電圧制御部５４に出力する。
【００４８】
アーム間コンデンサ電圧制御部５４は、チョッパセル群回路３５のコンデンサ電圧平均値ｖ_ｃｈ_ｕｐ及びチョッパセル群回路３６のコンデンサ電圧平均値ｖ_ｃｈ_ｕｎを同一にする。これを実現するため、出力交流電圧が直流中性点電圧より大きいときは、直流正端子−スイッチ３１−チョッパセル群回路３５−チョッパセル群回路３６−スイッチ３３−直流中性点Ｎの経路に、出力交流電圧と同一周波数の交流循環電流を流す。出力交流電圧が直流中性点電圧より小さいときは、直流中性点Ｎ−スイッチ３２−チョッパセル群回路３５−チョッパセル群回路３６−スイッチ３４−直流負端子の経路に、出力交流電圧と同一周波数の交流循環電流を流す。
【００４９】
すなわち、図５に示すように、上アーム３５のコンデンサ電圧平均値ｖ_ｃｈ_ｕｐ及び下アーム３６のコンデンサ電圧平均値ｖ_ｃｈ_ｕｎの入力を受け、ｖ_ｃｈ_ｕｐからｖ_ｃｈ_ｕｎを減算して比例積分制御した値を正弦関数に代入した値を交流循環電流指令値ｉ_ｃ_ａｃ＊とする。これと中性点電位を一定にするためのＵ相の循環電流指令値ｉ_ｃ_ｕ１＊とを加算することで、Ｕ相循環電流指令値ｉ_ｃ_ｕ＊を算出する。従って、Ｕ相循環電流指令値ｉ_ｃ_ｕ＊は、直流循環電流に交流循環電流を足し合わせたものとなる。アーム間コンデンサ電圧制御部５４は、同様にＶ相、Ｗ相についても循環電流指令値を算出し、算出した各相循環電流指令値ｉ_ｃ_ｕ＊，ｉ_ｃ_ｖ＊，ｉ_ｃ_ｗ＊を循環電流ＡＣＲ部５５に出力する。
【００５０】
循環電流ＡＣＲ部５５は、入力されたＵ相循環電流指令値ｉ_ｃ_ｕ＊にＵ相循環電流ｉ_ｃ_ｕが追従するように比例積分制御を行い、Ｕ相循環電圧指令値ｖ_ｃ_ｕ＊を生成する。循環電流ＡＣＲ５５は、同様にＶ相、Ｗ相についても生成し、各相の循環電圧指令値ｖ_ｃ_ｕ＊，ｖ_ｃ_ｖ＊，ｖ_ｃ_ｗ＊をチョッパセル群出力電圧指令値生成部５６に出力する。
【００５１】
次いで、チョッパセル群出力電圧指令値生成部５６は、各チョッパセル群回路３５，３６が出力する電圧指令値を生成する。Ｕ相を例に図６で説明すると、図６のタイミングｔ１のように、交流電圧指令値ｖ_ｕ＊が直流中性点電圧ｖ_ｄｃ_ｎより大きいときは、スイッチ３１，３３をオンにし、スイッチ３２，３４をオフにする。チョッパセル群回路３５が入力直流電圧ｖ_ｄｃと出力交流電圧ｖ_ａｃ_ｕの差電圧を出力し、チョッパセル群回路３６が出力交流電圧ｖ_ａｃ_ｕと直流中性点電圧ｖ_ｄｃ_ｎの差電圧を出力する。図６のタイミングｔ２のように、交流電圧指令値ｖ_ｕ＊が直流中性点電圧ｖ_ｄｃ_ｎより小さいときは、スイッチ３２，３４をオンにし、スイッチ３１，３３をオフにする。チョッパセル群回路３５が直流中性点電圧ｖ_ｄｃ_ｎと出力交流電圧ｖ_ａｃ_ｕの差電圧を出力し、チョッパセル群回路３６が出力交流電圧ｖ_ａｃ_ｕと直流負電圧の差電圧を出力する。
【００５２】
これらの差電圧は、図７に示すチョッパセル群出力電圧指令値生成部５６によって実現される。Ｕ相上アーム電圧指令値ｖ_ｕｐ＊は、交流電圧指令値ｖ_ｕ＊が直流中性点電圧ｖ_ｄｃ_ｎ以上のときは、ｖ_ｕｐ＊＝ｖ_ｄｃ−ｖ_ｕ＊−ｖ_ｃ_ｕ＊とし、交流電圧指令値ｖ_ｕ＊が直流中性点電圧ｖ_ｄｃ_ｎより小さいときは、ｖ_ｕｐ＊＝ｖ_ｄｃ_ｎ−ｖ_ｕ＊−ｖ_ｃ_ｕ＊で演算される。Ｕ相下アーム電圧指令値ｖ_ｕｎ＊は、交流電圧指令値ｖ_ｕ＊が直流中性点電圧ｖ_ｄｃ_ｎ以上のときは、ｖ_ｕｎ＊＝ｖ_ｕ＊−ｖ_ｄｃ_ｎ−ｖ_ｃ_ｕ＊とし、交流電圧指令値ｖ_ｕ＊が直流中性点電圧ｖ_ｄｃ_ｎより小さいときは、ｖ_ｕｎ＊＝ｖ_ｕ＊−ｖ_ｃ_ｕ＊で演算される。
【００５３】
個別コンデンサ電圧制御部５７は、チョッパセル群回路３５，３６の各チョッパセルＣの出力電圧を同一になるように調整する。すなわち、Ｕ相上アーム電流ｉ_ｕｐが正のときコンデンサは充電されるので、コンデンサ電圧が小さいチョッパセルＣの出力電圧を大きくし、コンデンサ電圧が大きいチョッパセルＣの出力電圧は小さくする。Ｕ相上アーム電流ｉ_ｕｐが負のときコンデンサは放電されるので、コンデンサ電圧が小さいチョッパセルＣの出力電圧を小さくし、コンデンサ電圧が大きいチョッパセルＣの出力電圧は大きくする。
【００５４】
このような制御動作を実現するために、個別コンデンサ電圧制御部５７は、Ｕ相のチョッパセル群回路３５を例に説明すると、図８に示すように、コンデンサ電圧ｖ_ｃｈ_ｕｐ１からチョッパセル群回路３５のコンデンサ電圧平均値ｖ_ｃｈ_ｕｐを減算し、これに比例ゲインを乗算した値に、Ｕ相アーム電流ｉ_ｕｐの符号を反転させた値−ｓｉｇｎ（ｉ_ｕｐ）を乗算し、Ｕ相アーム電圧指令値ｖ_ｕｐ＊を加算し、各チョッパセルの電圧指令値ｖ_ｕｐ１＊，ｖ_ｕｐ２＊，ｖ_ｕｐ３＊を算出する。
【００５５】
次に、チョッパセルＣの電圧出力方法を説明する。この方法は全チョッパセルＣで同じであるため、チョッパセルｃｈ_ｕｐ１を例に、図９を用いて説明する。なお、チョッパセルｃｈ_ｕｐ１を構成する２個のスイッチをｓｗ_ｃｈ_ｕｐ１１，ｓｗ_ｃｈ_ｕｐ１２とする。
【００５６】
チョッパセルｃｈ_ｕｐ１の出力電圧指令値ｖ_ｕｐ１＊を出力するため、キャリア三角波ｃａｒ_ｕｐ１と比較し、出力電圧指令値ｖ_ｕｐ１＊がキャリア三角波ｃａｒ_ｕｐ１より大きいときは、スイッチｓｗ_ｃｈ_ｕｐ１１をオンにし、ｓｗ_ｃｈ_ｕｐ１２をオフにする。出力電圧指令値ｖ_ｕｐ１＊がキャリア三角波ｃａｒ_ｕｐ１より小さいときは、スイッチｓｗ_ｃｈ_ｕｐ１１をオフにし、ｓｗ_ｃｈ_ｕｐ１２をオンにする。
【００５７】
チョッパセル群回路３５がＮ個のチョッパセルＣで構成される場合、キャリア三角波の位相を３６０°／Ｎずつずらすことにより、等価キャリア周波数をキャリア三角波周波数のＮ倍に大きくでき、各スイッチのオンオフをより細かく行う。従って、出力交流電圧の高調波電圧を低減し出力交流電圧を滑らかにすることができる。また、チョッパセル群回路３６に用いるキャリア三角波位相を、チョッパセル群回路３５に対して１８０°ずらすことにより、更に出力交流電圧の高調波電圧を低減することができる。
【００５８】
［１−３．作用・効果］
（１）本実施形態の電力変換装置１は、交流と直流の間で電力を変換する電力変換装置であって、直流電源２０と並列に接続され、直流電源２０の入力直流電圧を分割して中性点電位を作るための直列接続されたコンデンサ２ａ，２ｂと、直流電源２０と並列に各々接続され、直流を交流に変換するためのチョッパセルＣを含む複数のレグ３と、各相のレグ３のチョッパセル出力電圧をバランスさせるために各相のレグ３内に流す循環電流を制御する制御部５と、を備え、制御部５は、各相の直流端子間に流す直流循環電流に、中性点電位を一定に制御するための中性点電流を重畳する中性点電位制御部５３を有し、中性点電位制御部５３は、コンデンサ２ａ，２ｂの少なくとも何れかに中性点電流を重畳した循環電流を流させるようにした。
【００５９】
これにより、中性点電位を一定に保つことのできる中性点クランプ形の電力変換装置を得ることができる。また、中性点電位を一定に保つためには零相電圧を印加する方法も考えられるが、この場合、出力交流電圧の周波数に制御応答速度が依存し、結果的に中性点電位変動が大きくなり、直流コンデンサ容量を大きくなる虞がある。これに対し、本実施形態によれば、中性点電流を一周期のうちいつでも流すことができるので、出力交流電圧の周波数に依存しない制御応答速度を実現できる。
【００６０】
また、レグ３は、多直列接続されたスイッチ３１〜３４と、チョッパセルＣが１つ又は２つ以上直列接続された一対のチョッパセル群回路３５，３６と、を有し、スイッチ３１〜３４は、この順で直流電源２０と接続される直流正端子から直流負端子の間に設け、スイッチ３２及びスイッチ３３の間で直流中性点Ｎと接続され、一対のチョッパセル群回路３５，３６は、スイッチ３２，３３と並列に接続するようにした。これにより、従来のＭＭＣと比較してチョッパセル数を半数に減らすことができ、電力変換装置サイズを小さくすることができる。加えて、直流コンデンサ容量はチョッパセルのコンデンサ容量より小さく、電力変換装置サイズを小さくできる。また、チョッパセル数低減によりスイッチング損失が低減して変換効率を向上させることができる。
【００６１】
（２）中性点電位制御部５３は、コンデンサ２ａ，２ｂのうち、高電圧なコンデンサから放電させた電力を低電圧なコンデンサに充電させるようにした。これにより、中性点電位を一定に制御しやすくできる。例えば、正側コンデンサ２ａが高電圧で、負側コンデンサ２ｂが低電圧の場合、正側コンデンサ２ａの放電電流が、他の二相のレグ３を介して負側コンデンサ２ｂに充電され、コンデンサ２ａ，２ｂのバランスを取るため、双方のコンデンサ２ａ，２ｂを制御した方が中性点電位を一定に保たせやすくなる。
【００６２】
（３）中性点電位制御部５３は、中性点電流を各相のレグ３に分配して重畳するようにした。これにより、重畳される中性点電流が各相のレグ３に分散されるので、スイッチ３１〜３４に流れる電流増大に伴う熱的負担等の負担を低減することができる。分配して重畳させない方法としては、例えば、Ｕ相レグ３にのみ中性点電流を流し、正側コンデンサ２ａを放電させてチョッパセル群回路３５のコンデンサに充電させ、Ｖ相、Ｗ相レグ３には流さないように制御することも可能であるが、この場合、Ｕ相にのみ中性点電流を重畳させるので、Ｕ相レグ３のスイッチ３１〜３４に熱的な負担が増大する。これに対し、本実施形態の方法によれば、その負担を各相レグ３に分散することができる。
【００６３】
（４）中性点電位制御部５３は、中性点電流の指令値ｉ_ｎｐ＊を、コンデンサ２ａ，２ｂの電圧差を比例積分制御することにより算出するようにした。これにより、コンデンサ２ａ，２ｂの電圧が同じになり、中性点電位を一定に制御することができる。
【００６４】
（５）中性点電位制御部５３は、コンデンサ２ａ，２ｂの電圧差に含まれる高周波数成分を除去するローパスフィルタを有するようにした。これにより、安定した中性点電流指令値を生成することができるので、高周波成分を有することによる制御への影響を排除することができる。
【００６５】
（６）中性点電位制御部５３は、コンデンサ２ａ，２ｂの電圧差に含まれる高周波数成分を除去する移動平均フィルタを有するようにした。これにより、安定した中性点電流指令値を生成することができるので、高周波成分を有することによる制御への影響を排除することができる。
【００６６】
（７）移動平均フィルタの移動平均周期を、出力交流電圧周期のレグ数倍以上とした。これにより、中性点電流指令値を算出するためのコンデンサ２ａ，２ｂの電圧差から、出力交流電圧周期のレグ数倍の高調波成分を除去することができるので、効率的に制御への影響を排除することができる。
【００６７】
［２．その他の実施形態］
本明細書においては、本発明に係る複数の実施形態を説明したが、これらの実施形態は例として提示したものであって、発明の範囲を限定することを意図していない。以上のような実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【００６８】
例えば、第１の実施形態では、２つのコンデンサ２ａ，２ｂにより中性点電位を形成したが、正側で多直列接続したコンデンサと、負側で多直列接続したコンデンサとで中性点電位を形成するようにしても良い。これにより、耐電圧を大きくすることができる。また、コンデンサ２ａ，２ｂのそれぞれに対し、２個のコンデンサを並列接続してコンデンサ容量を大きくするようにしても良い。
【００６９】
更に、第１の実施形態では、直列接続された２つのコンデンサ２ａ，２ｂに対し、３相のレグ３をそれぞれ並列接続したが、各相のレグ３に対し、直列接続された２つのコンデンサ２ａ，２ｂをそれぞれ直近に並列接続するようにしても良い。これにより、スイッチ３１〜３４をオフにするときに、各相のレグ間に寄生のインダクタンスが残ることによるサージ電圧の印加を防止することができる。
【符号の説明】
【００７０】
１          電力変換装置
２ａ，２ｂ  コンデンサ
２０        直流電源
２１        三相トランスｔｒ
２２        電力系統Ｖ_Ｓ
３          レグ
３１〜３４  スイッチ
３５        チョッパセル群回路（上アーム）
３６        チョッパセル群回路（下アーム）
３７，３８  リアクトル
３９        出力交流電圧端子
５          制御部
５１        各相出力電圧制御部
５１１      ３相／ＤＱ変換部
５１２      ＡＣＲ部
５１３      ＤＱ／３相変換部
５２        各相コンデンサ電圧制御部
５３        中性点電位制御部
５３１      中性点電流指令値算出部
５３２      中性点電流重畳部
５４        アーム間コンデンサ電圧制御部
５５        循環電流ＡＣＲ部
５６        チョッパセル群出力電圧指令値生成部
５７        個別コンデンサ電圧制御部
Ｃ          チョッパセル
Ｎ          直流中性点
ｓｗ_ｃｈ１，ｓｗ_ｃｈ２  チョッパセルのスイッチ
１０１      ＭＭＣ
１０３      レグ
１０４ａ    上アーム
１０４ｂ    下アーム
１０５      レグ
１２０      直流電源
１２１      三相トランス
１２２      電力系統
１３９      交流出力端子
【図１】
2016046955.tif 000003
【図２】
2016046955.tif 000004
【図３】
2016046955.tif 000005
【図４】
2016046955.tif 000006
【図５】
2016046955.tif 000007
【図７】
2016046955.tif 000008
【図８】
2016046955.tif 000009
【図９】
2016046955.tif 000010
【図１０】
2016046955.tif 000011
【図６】
2016046955.tif 000012